(57)【要約】【課題】計測における操作性を向上させるとともに、誤診を防止する。【解決手段】側面脊椎画像から圧迫骨折の診断に用いるＣ／Ａ、Ｃ／Ｐ及びＡ／Ｐを算出する画像計測装置において、モニタ画面に表示された側面脊椎画像上に、計測対象椎体の椎体前部の軸方向の上下端を結ぶ前部補助線Ｌａ、椎体中部の軸方向の上下端を結ぶ中部補助線Ｌｃ、椎体後部の軸方向の上下端を結ぶ後部補助線Ｌｐを描画するとともに、前部補助線Ｌａの両端部の近傍にそれぞれ「Ａ」という識別符号５１，５２を表示し、中部補助線Ｌｃの両端部の近傍にそれぞれ「Ｃ」という識別符号５３，５４を表示し、後部補助線Ｌｐの両端部の近傍にそれぞれ「Ｐ」いう識別符号５５，５６を表示する。【選択図】図５
2011115187.tif 000002
【特許請求の範囲】
【請求項１】
医用画像を表示手段のモニタ画面に表示させ、当該表示された医用画像から計測結果を算出する画像計測装置であって、
前記モニタ画面に表示された医用画像において計測用の補助線を描画する位置を指定するための操作手段と、
前記モニタ画面に表示された医用画像上に前記補助線を前記操作手段からの操作に基づいて描画するとともに、当該補助線と対応させて当該補助線を識別するための符号を表示させ、前記補助線に基づいて前記計測結果を算出する制御手段と、
を備える画像計測装置。
【請求項２】
前記制御手段は、前記補助線の端部の近傍に前記符号を表示させる、
請求項１に記載の画像計測装置。
【請求項３】
医用画像を保存する画像サーバ装置と、当該画像サーバ装置から取得した医用画像を表示手段のモニタ画面に表示させ、当該表示された医用画像から計測結果を算出する画像計測装置とが通信ネットワークを介してデータ通信可能に接続された医用画像システムであって、
前記画像計測装置は、
前記モニタ画面に表示された医用画像において計測用の補助線を描画する位置を指定するための操作手段と、
前記モニタ画面に表示された医用画像上に前記補助線を前記操作手段からの操作に基づいて描画するとともに、当該補助線と対応させて当該補助線を識別するための符号を表示させ、前記補助線に基づいて前記計測結果を算出する制御手段と、
を備える医用画像システム。
【請求項４】
医用画像を表示手段のモニタ画面に表示させ、当該表示された医用画像から計測結果を算出するコンピュータを、
前記モニタ画面に表示された医用画像において計測用の補助線を描画する位置を指定するための操作手段、
前記モニタ画面に表示された医用画像上に前記補助線を前記操作手段からの操作に基づいて描画するとともに、当該補助線と対応させて当該補助線を識別するための符号を表示させ、前記補助線に基づいて前記計測結果を算出する制御手段、
として機能させるためのプログラム。
【発明の詳細な説明】
【技術分野】
【０００１】
本発明は、画像計測装置、医用画像システム及びプログラムに関する。
【背景技術】
【０００２】
従来、整形外科等の医療分野の診断において、Ｘ線等の放射線により患者を撮影した画像が用いられている。医師は、フィルムに出力した放射線画像を観察読影するとともに、診断に用いる数値や角度を得るために放射線画像上に計測すべき位置を赤鉛筆等でマーキングし、定規や分度器等の計測器具を用いてマーキングされた位置の距離や角度等を計測する。
【０００３】
近年、医療分野においてもデジタル化が進み、病院内で生成される放射線画像は、ほとんどがデジタル画像としてワークステーション又はＰＡＣＳ（Picture Archiving and Communication System）で保存されている。デジタル画像の場合、画像をモニタ画面上に表示させ、この画面上で計測に用いる線（以下、補助線という。）を手動又は自動で指定することによって、距離や角度等の計測を自動化したり、一度引いた補助線を移動したりすることができるため、医師や放射線技師等の計測に要する負担を大幅に軽減させることが可能となった。
【０００４】
また、複雑な計測では、１回の計測につき、複数の補助線が描画される場合がある。例えば、脊椎の圧迫骨折を診断する際には、図１４に示すように、脊椎を人体の側面から撮影した画像（以下、側面脊椎画像という。）をモニタ画面に表示させ、計測対象となる椎体の人体の前面側に対応する椎体前部（Anterior）の上下端を結ぶ補助線Ｌａ、人体の背面側に対応する椎体後部（Posterior）の上下端を結ぶ補助線Ｌｐ、椎体前部と椎体後部の中間に位置する椎体中部（Center）の上下端を結ぶ補助線Ｌｃを引き、補助線Ｌａの長さＡ、補助線Ｌｐの長さＰ、補助線Ｌｃの長さＣをそれぞれ測定する。そして、Ｃ／Ａ、Ｃ／Ｐ、Ａ／Ｐを算出し、Ｃ／Ａ、Ｃ／Ｐのいずれかが0.8未満の場合、又は、Ａ／Ｐが0.75未満の場合に圧迫骨折と判定する。
【０００５】
また、医用画像から診断に用いるための特徴を示す角度を計測する場合には、角度を形成する２直線の位置を指定する必要がある。描画した２直線の位置を後から調整する際に、一対（ペア）でのみ調整を許可することとすると、一方の直線だけを引き直したり、移動させたりすることができない。そこで、表示部に表示された医用画像上に複数の直線を描画し、描画した２本の直線間の角度を計測する画像計測装置において、描画された各直線を独立して変更・編集・削除することができる技術が提案されている（特許文献１参照）。
【特許文献１】特開２００６−１９２１０４号公報
【発明の開示】
【発明が解決しようとする課題】
【０００６】
しかし、圧迫骨折の診断においては、通常、椎体前部、椎体中部、椎体後部の順に補助線の描画位置を指定するが、ユーザが操作を誤って、逆から椎体後部、椎体中部、椎体前部の順に補助線の描画位置を指定してしまう場合があった。この場合、モニタ画面上では、椎体後部、椎体中部、椎体前部の上下端をそれぞれ結ぶ補助線が描画されるので、正しい順序で補助線が描画された場合と比較して、見た目上の差はないが、１番目に引いた補助線が椎体前部を示し、２番目に引いた補助線が椎体中部を示し、３番目に引いた補助線が椎体後部を示すものとしてＣ／Ａ、Ｃ／Ｐ、Ａ／Ｐが算出されるので、診断を誤るおそれがあった。
【０００７】
このように、複数の補助線が描画される場合には、各補助線が医用画像上の何を示すものであるかという対応関係を識別することが困難となる場合があった。また、ＰＡＣＳは、登録された複数のユーザによって利用されるため、補助線を描画したユーザ以外のユーザが、補助線が描画された状態の画像を参照する場合もあり、各補助線が何を示すものであるかを識別することができない場合があった。また、医用画像上に補助線が描画された状態で紙にプリントされたり、イメージャにより出力されたりした場合にも、正しく計測が行われたか否かを確認することは困難であった。
【０００８】
本発明は、上記の従来技術における問題に鑑みてなされたものであって、計測における操作性を向上させるとともに、誤診を防止することを課題とする。
【課題を解決するための手段】
【０００９】
上記課題を解決するために、請求項１に記載の発明は、医用画像を表示手段のモニタ画面に表示させ、当該表示された医用画像から計測結果を算出する画像計測装置であって、前記モニタ画面に表示された医用画像において計測用の補助線を描画する位置を指定するための操作手段と、前記モニタ画面に表示された医用画像上に前記補助線を前記操作手段からの操作に基づいて描画するとともに、当該補助線と対応させて当該補助線を識別するための符号を表示させ、前記補助線に基づいて前記計測結果を算出する制御手段と、を備える。
【００１０】
請求項２に記載の発明は、請求項１に記載の画像計測装置において、前記制御手段は、前記補助線の端部の近傍に前記符号を表示させる。
【００１１】
請求項３に記載の発明は、医用画像を保存する画像サーバ装置と、当該画像サーバ装置から取得した医用画像を表示手段のモニタ画面に表示させ、当該表示された医用画像から計測結果を算出する画像計測装置とが通信ネットワークを介してデータ通信可能に接続された医用画像システムであって、前記画像計測装置は、前記モニタ画面に表示された医用画像において計測用の補助線を描画する位置を指定するための操作手段と、前記モニタ画面に表示された医用画像上に前記補助線を前記操作手段からの操作に基づいて描画するとともに、当該補助線と対応させて当該補助線を識別するための符号を表示させ、前記補助線に基づいて前記計測結果を算出する制御手段と、を備える。
【００１２】
請求項４に記載の発明は、医用画像を表示手段のモニタ画面に表示させ、当該表示された医用画像から計測結果を算出するコンピュータを、前記モニタ画面に表示された医用画像において計測用の補助線を描画する位置を指定するための操作手段、前記モニタ画面に表示された医用画像上に前記補助線を前記操作手段からの操作に基づいて描画するとともに、当該補助線と対応させて当該補助線を識別するための符号を表示させ、前記補助線に基づいて前記計測結果を算出する制御手段、として機能させるためのプログラムである。
【発明の効果】
【００１３】
請求項１、３、４に記載の発明によれば、補助線と対応させて補助線を識別するための符号を表示するので、補助線が何を示すものであるかが識別可能となり、計測における操作性を向上させるとともに、誤診を防止することができる。
【００１４】
請求項２に記載の発明によれば、補助線の描画を妨げることなく、補助線を識別するための符号を表示することができる。
【発明を実施するための最良の形態】
【００１５】
［第１の実施の形態］
まず、本発明に係る医用画像システムの第１の実施の形態について説明する。
図１に、第１の実施の形態における医用画像システム１００のシステム構成を示す。図１に示すように、医用画像システム１００では、ＲＩＳ（Radiological Information System：放射線情報システム）１０、モダリティ２０、画像サーバ装置３０及び画像計測装置４０が、ネットワークＮを介してデータ通信可能に接続されている。
【００１６】
ＲＩＳ１０は、放射線科部門内における診療予約、診断結果のレポート、実績管理、材料在庫管理等の情報管理を行う。ＲＩＳ１０は、撮影や診断の内容を示す検査オーダ情報を生成し、モダリティ２０に送信する。
【００１７】
モダリティ２０は、ＲＩＳ１０から送信された検査オーダ情報に基づいて、患者を撮影し、医用画像の画像データを生成する画像生成装置である。モダリティ２０は、画像データを画像サーバ装置３０に送信する。モダリティ２０としては、ＣＲ（Computed Radiography）装置、ＣＴ（Computed Tomography）装置、ＭＲＩ（Magnetic Resonance Imaging）装置等が用いられる。
【００１８】
画像サーバ装置３０は、ＰＡＣＳにより構成され、モダリティ２０から受信した医用画像の画像ファイル３６１（図２参照）を保存し、画像計測装置４０等の外部機器からの要求に応じて画像ファイル３６１を提供する。
【００１９】
図２に、画像サーバ装置３０の機能的構成を示す。図２に示すように、画像サーバ装置３０は、制御部３１、操作部３２、表示部３３、通信部３４、ＲＯＭ（Read Only Memory）３５、記憶部３６を備えて構成され、各部はバス３７により接続されている。
【００２０】
制御部３１は、ＣＰＵ（Central Processing Unit）、ＲＡＭ（Random Access Memory）等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００２１】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００２２】
表示部３３は、ＬＣＤ（Liquid Crystal Display）により構成され、制御部３１から入力される表示データに基づいて各種画面を表示する。
【００２３】
通信部３４は、ＲＩＳ１０、モダリティ２０、画像計測装置４０等の外部機器との間でデータの送受信を行うインターフェースである。
【００２４】
ＲＯＭ３５は、不揮発性の半導体メモリ等により構成され、制御プログラム、当該プログラムの実行に必要なパラメータやファイル等を記憶している。
【００２５】
記憶部３６は、ハードディスク等により構成され、各種データを記憶する。具体的には、記憶部３６には、画像ファイル３６１、画像処理条件ファイル３６２、ＤＢ（Data Base）３６３等が記憶される。
【００２６】
画像ファイル３６１は、モダリティ２０から受信した医用画像の画像データのファイルである。画像ファイル３６１として、例えば、脊椎を人体の側面から撮影した側面脊椎画像（図１４参照）のファイルが保存されている。
【００２７】
画像処理条件ファイル３６２は、画像処理条件を保存するためのファイルである。画像処理条件には、階調処理、拡大率、アノテーションの種類、補助線の描画位置を示す座標、線の太さ、線種（実線、破線等）、各補助線を識別するための符号の表示位置を示す座標等の情報が含まれる。また、側面脊椎画像の場合には、図３に示すように、計測対象椎体の人体の前面側に対応する椎体前部の軸方向の長さをＡ、人体の背面側に対応する椎体後部の軸方向の長さをＰ、椎体前部と椎体後部の中間に位置する椎体中部の軸方向の長さをＣとして、Ｃ／Ａ、Ｃ／Ｐ及びＡ／Ｐを算出した計測結果も画像処理条件に含まれる。なお、画像処理条件には、システム独自の画像処理条件の他、ＤＩＣＯＭ（Digital Imaging and Communications in Medicine）規格のＧＳＰＳ（Grayscale Softcopy Presentation State）準拠の画像の表示状態を示すパラメータが含まれていてもよい。
【００２８】
ＤＢ３６３は、医用画像とその医用画像に施されている画像処理条件とを対応付けるためのものであり、画像テーブル３６４、画像処理条件テーブル３６５を含む。画像テーブル３６４には、画像ファイル３６１のそれぞれに対して、画像処理条件テーブル３６５の外部キーが設定されている。画像処理条件テーブル３６５には、画像テーブル３６４において参照されるキーのそれぞれに対して、画像処理条件ファイル３６２のパスが対応付けられている。
【００２９】
制御部３１は、画像計測装置４０から画像ファイル３６１の取得要求があった場合に、要求された画像ファイル３６１を記憶部３６から読み出し、画像計測装置４０に送信する。また、制御部３１は、画像計測装置４０から画像処理条件を受信した場合に、受信した画像処理条件を画像処理条件ファイル３６２に保存し、画像ファイル３６１との対応関係をＤＢ３６３に登録する。
【００３０】
画像計測装置４０は、画像サーバ装置３０から取得した医用画像を表示させ、当該医用画像の診断に用いる数値や角度等の計測結果を算出するための装置であって、ＰＣ（Personal Computer）等から構成される。例えば、画像計測装置４０は、側面脊椎画像においては、圧迫骨折の診断に用いるＣ／Ａ、Ｃ／Ｐ及びＡ／Ｐを算出する。
【００３１】
図４に、画像計測装置４０の機能的構成を示す。図４に示すように、画像計測装置４０は、制御部４１、操作部４２、表示部４３、通信部４４、ＲＯＭ４５、記憶部４６を備え、各部はバス４７により接続されている。
【００３２】
制御部４１は、ＣＰＵ、ＲＡＭ等から構成され、画像計測装置４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００３３】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。操作部４２は、表示部４３のモニタ画面に表示された側面脊椎画像においてＣ／Ａ、Ｃ／Ｐ及びＡ／Ｐの計測用の補助線を描画する位置を指定する際に用いられる。
【００３４】
表示部４３は、ＬＣＤにより構成され、制御部４１から入力される表示データに基づいて各種画面を表示する。具体的には、表示部４３は、側面脊椎画像等の医用画像を表示する。
【００３５】
通信部４４は、画像サーバ装置３０等の外部機器との間でデータの送受信を行うインターフェースである。
【００３６】
ＲＯＭ４５は、不揮発性の半導体メモリ等により構成され、制御プログラム、当該プログラムの実行に必要なパラメータやファイル等を記憶している。
【００３７】
記憶部４６は、ハードディスク等により構成され、各種データを記憶する。
【００３８】
制御部４１は、通信部４４を介して、画像サーバ装置３０に対して、記憶部３６に記憶されている医用画像の画像ファイル３６１の取得要求を送信し、画像サーバ装置３０から医用画像の画像ファイル３６１を取得する。制御部４１は、取得した医用画像の画像ファイル３６１に基づいて、表示部４３のモニタ画面に医用画像を表示させる。第１の実施の形態では、側面脊椎画像の画像ファイル３６１を取得し、表示部４３のモニタ画面に側面脊椎画像を表示させる場合について説明する。
【００３９】
制御部４１は、操作部４２のマウスからの操作に基づいて、表示部４３のモニタ画面に表示された側面脊椎画像上に、椎体前部の軸方向の上下端を結ぶ補助線（以下、前部補助線という。）Ｌａ、椎体中部の軸方向の上下端を結ぶ補助線（以下、中部補助線という。）Ｌｃ、椎体後部の軸方向の上下端を結ぶ補助線（以下、後部補助線という。）Ｌｐを順に描画する。
【００４０】
また、制御部４１は、表示部４３のモニタ画面に表示された側面脊椎画像上に、各補助線と対応させて各補助線を識別するための符号（以下、識別符号という。）を表示させる。具体的には、図５に示すように、制御部４１は、前部補助線Ｌａの両端部の近傍にそれぞれ「Ａ」という識別符号５１，５２を表示させ、中部補助線Ｌｃの両端部の近傍にそれぞれ「Ｃ」という識別符号５３，５４を表示させ、後部補助線Ｌｐの両端部の近傍にそれぞれ「Ｐ」いう識別符号５５，５６を表示させる。
【００４１】
ここで、「近傍」とは、補助線との対応関係が認識できる範囲の距離をいい、補助線が複数ある場合には、他の補助線からの距離よりも小さい範囲をいう。例えば、制御部４１は、図５に示すように、表示すべき識別符号５１〜５６のサイズを取得し、幅ｗと高さｈを算出する。そして、補助線の延長線上で、補助線の端部から（幅ｗと高さｈのうち大きい方の値）／２の距離だけ離れた位置に識別符号５１〜５６の中心位置を配置する。
【００４２】
制御部４１は、描画された各補助線の長さに基づいて、Ｃ／Ａ、Ｃ／Ｐ及びＡ／Ｐを算出する。具体的には、制御部４１は、
Ｃ／Ａ＝（中部補助線Ｌｃの長さ）／（前部補助線Ｌａの長さ）
Ｃ／Ｐ＝（中部補助線Ｌｃの長さ）／（後部補助線Ｌｐの長さ）
Ａ／Ｐ＝（前部補助線Ｌａの長さ）／（後部補助線Ｌｐの長さ）
により、各値を算出する。
【００４３】
なお、補助線や識別符号の位置を示す際には、画像座標系における座標（ｘ，ｙ）を用いる。画像座標系とは、画像ファイル３６１に固有の画像上における座標系をいう。
【００４４】
次に、動作を説明する。
図６は、画像サーバ装置３０において実行される画像提供処理を示すフローチャートである。この処理は、画像計測装置４０に対して計測対象となる医用画像を提供する処理であって、制御部３１のＣＰＵと、ＲＯＭ３５に記憶されているプログラムとの協働によるソフトウェア処理によって実現される。
【００４５】
まず、通信部３４により、画像計測装置４０から画像ファイル３６１の取得要求が受信された場合には（ステップＳ１；ＹＥＳ）、制御部３１により、要求された画像ファイル３６１が記憶部３６から読み出され、通信部３４を介して画像計測装置４０に送信される（ステップＳ２）。
【００４６】
次に、通信部３４により、画像計測装置４０から画像処理条件が受信された場合には（ステップＳ３；ＹＥＳ）、制御部３１により、受信した画像処理条件が記憶部３６の画像処理条件ファイル３６２に保存され、計測対象の画像ファイル３６１との対応関係がＤＢ３６３に登録される（ステップＳ４）。
以上で、画像提供処理が終了する。
【００４７】
図７は、画像計測装置４０において実行される画像計測処理αを示すフローチャートである。この処理は、制御部４１のＣＰＵと、ＲＯＭ４５に記憶されているプログラムとの協働によるソフトウェア処理によって実現される。
【００４８】
まず、操作部４２からの操作により、計測対象となる側面脊椎画像の画像ファイル３６１が選択され、制御部４１の制御に従って、通信部４４により、画像サーバ装置３０に対して、選択された側面脊椎画像の画像ファイル３６１の取得要求が送信される。そして、制御部４１により、通信部４４を介して、画像サーバ装置３０から側面脊椎画像の画像ファイル３６１が取得される（ステップＳ１１）。そして、制御部４１により、取得された側面脊椎画像の画像ファイル３６１に基づいて、表示部４３のモニタ画面に側面脊椎画像が表示される（ステップＳ１２）。
【００４９】
次に、図８（ａ）に示すように、計測対象椎体の椎体前部の軸方向上端にマウスカーソルＭＣが置かれた状態でユーザにより操作部４２のマウスボタンが押下され、椎体前部の上端位置が指定されると、制御部４１により、マウスボタンが押下された位置に対応する画像座標系における座標が取得され、１点目の座標が決定される（ステップＳ１３）。なお、図８（ａ）には側面脊椎画像を破線で示したが、以下の図では省略する。
【００５０】
次に、図８（ｂ）に示すように、椎体前部の軸方向下端にマウスカーソルＭＣが置かれた状態でユーザにより操作部４２のマウスボタンが押下され、椎体前部の下端位置が指定されると、制御部４１により、マウスボタンが押下された位置に対応する画像座標系における座標が取得され、２点目の座標が決定される（ステップＳ１４）。
【００５１】
そして、図８（ｃ）に示すように、制御部４１により、表示部４３のモニタ画面に表示された側面脊椎画像上に、１点目の座標（画像座標系）と２点目の座標（画像座標系）とを結ぶ前部補助線Ｌａが描画されるとともに（ステップＳ１５）、前部補助線Ｌａの両端部の近傍にそれぞれ「Ａ」という識別符号５１，５２が表示される（ステップＳ１６）。これにより、前部補助線Ｌａが椎体前部の軸方向の上下端を結ぶ補助線であることが識別可能となる。
【００５２】
次に、図８（ｄ）に示すように、計測対象椎体の椎体中部の軸方向上端にマウスカーソルＭＣが置かれた状態でユーザにより操作部４２のマウスボタンが押下され、椎体中部の上端位置が指定されると、制御部４１により、マウスボタンが押下された位置に対応する画像座標系における座標が取得され、３点目の座標が決定される（ステップＳ１７）。
【００５３】
次に、図８（ｅ）に示すように、椎体中部の軸方向下端にマウスカーソルＭＣが置かれた状態でユーザにより操作部４２のマウスボタンが押下され、椎体中部の下端位置が指定されると、制御部４１により、マウスボタンが押下された位置に対応する画像座標系における座標が取得され、４点目の座標が決定される（ステップＳ１８）。
【００５４】
そして、図８（ｆ）に示すように、制御部４１により、表示部４３のモニタ画面に表示された側面脊椎画像上に、３点目の座標（画像座標系）と４点目の座標（画像座標系）とを結ぶ中部補助線Ｌｃが描画されるとともに（ステップＳ１９）、中部補助線Ｌｃの両端部の近傍にそれぞれ「Ｃ」という識別符号５３，５４が表示される（ステップＳ２０）。これにより、中部補助線Ｌｃが椎体中部の軸方向の上下端を結ぶ補助線であることが識別可能となる。
【００５５】
次に、図９（ａ）に示すように、計測対象椎体の椎体後部の軸方向上端にマウスカーソルＭＣが置かれた状態でユーザにより操作部４２のマウスボタンが押下され、椎体後部の上端位置が指定されると、制御部４１により、マウスボタンが押下された位置に対応する画像座標系における座標が取得され、５点目の座標が決定される（ステップＳ２１）。
【００５６】
次に、図９（ｂ）に示すように、椎体後部の軸方向下端にマウスカーソルＭＣが置かれた状態でユーザにより操作部４２のマウスボタンが押下され、椎体後部の下端位置が指定されると、制御部４１により、マウスボタンが押下された位置に対応する画像座標系における座標が取得され、６点目の座標が決定される（ステップＳ２２）。
【００５７】
そして、図９（ｃ）に示すように、制御部４１により、表示部４３のモニタ画面に表示された側面脊椎画像上に、５点目の座標（画像座標系）と６点目の座標（画像座標系）とを結ぶ後部補助線Ｌｐが描画されるとともに（ステップＳ２３）、後部補助線Ｌｐの両端部の近傍にそれぞれ「Ｐ」という識別符号５５，５６が表示される（ステップＳ２４）。これにより、後部補助線Ｌｐが椎体後部の軸方向の上下端を結ぶ補助線であることが識別可能となる。
【００５８】
次に、制御部４１により、描画された前部補助線Ｌａ、中部補助線Ｌｃ、後部補助線Ｌｐの長さに基づいて、Ｃ／Ａ、Ｃ／Ｐ及びＡ／Ｐが算出される（ステップＳ２５）。
【００５９】
次に、制御部４１により、表示部４３のモニタ画面に計測結果（Ｃ／Ａ、Ｃ／Ｐ及びＡ／Ｐの値）が表示される（ステップＳ２６）。図９（ｃ）に示す例では、「Ｃ／Ａ  0.93、Ｃ／Ｐ  0.88、Ａ／Ｐ  0.95」と表示されている。
【００６０】
次に、制御部４１により、画像処理条件を保存するか否かが判断される（ステップＳ２７）。例えば、操作部４２からの操作により、表示部４３のモニタ画面上で保存ボタンが選択された場合には、画像処理条件が保存される。
【００６１】
画像処理条件を保存する場合には（ステップＳ２７；ＹＥＳ）、制御部４１により、描画された各補助線の始点及び終点を示す座標（画像座標系）、各補助線に対応する識別符号の表示内容（「Ａ」、「Ｃ」、「Ｐ」）、各識別符号の表示位置を示す座標（画像座標系）、計測結果（Ｃ／Ａ、Ｃ／Ｐ及びＡ／Ｐの値）等の画像処理条件が画像サーバ装置３０に送信される（ステップＳ２８）。画像処理条件を保存しない場合には（ステップＳ２７；ＮＯ）、そのまま処理が終了する。
以上で、画像計測処理αが終了する。
【００６２】
以上説明したように、第１の実施の形態によれば、前部補助線Ｌａと対応させて「Ａ」という識別符号５１，５２を表示し、中部補助線Ｌｃと対応させて「Ｃ」という識別符号５３，５４を表示し、後部補助線Ｌｐと対応させて「Ｐ」いう識別符号５５，５６を表示するので、各補助線が何を示すものであるかが識別可能となり、計測における操作性を向上させるとともに、誤診を防止することができる。
【００６３】
また、前部補助線Ｌａ、中部補助線Ｌｃ、後部補助線Ｌｐの端部の近傍に識別符号５１〜５６を表示するので、各補助線の描画を妨げることなく、識別符号５１〜５６を表示することができる。
【００６４】
また、側面脊椎画像上に前部補助線Ｌａ、中部補助線Ｌｃ、後部補助線Ｌｐ及び識別符号５１〜５６が描画された状態で紙やフィルムに出力した場合にも、各補助線が何を示すものであるかが識別可能となる。
【００６５】
［第２の実施の形態］
次に、本発明を適用した第２の実施の形態について説明する。
第２の実施の形態における医用画像システムは、第１の実施の形態に示した医用画像システム１００と同様の構成によってなるため、同一の構成部分については同一の符号を付し、その構成については図示及び説明を省略する。以下、第２の実施の形態に特徴的な構成及び処理について説明する。
【００６６】
第２の実施の形態では、計測対象がＣＥ角（Central-edge angle）である場合について説明する。ＣＥ角は、変形性股関節症（臼蓋形成不全）の診断に用いられる。変形性股関節症の症状として、股関節痛、運動痛、可動域制限、歩行障害等の日常生活動作の障害が挙げられる。ＣＥ角は、大腿骨頭の中心を通る垂直線と、その中心と臼蓋外側縁とを通る線とのなす角度をいう。正常値は２５度以上であり、１０度未満では股関節症へと進行しやすい。
【００６７】
図１０に、左右の股関節部を人体の前面側からＸ線撮影した股関節画像の例を示す。図１０において左側が人体の右側に相当し、図１０において右側が人体の左側に相当する。ＣＥ角を計測する際には、まず、股関節画像をモニタ画面に表示させ、モニタ画面上で右涙痕下端６１と左涙痕下端６２とを通る基準補助線Ｍ１、右大腿骨頭の中心６３を通り基準補助線Ｍ１に垂直な第一垂直補助線Ｍ２、右大腿骨頭の中心６３と右臼蓋外側縁６４とを通る第一斜め補助線Ｍ３、左大腿骨頭の中心６５を通り基準補助線Ｍ１に垂直な第二垂直補助線Ｍ４、左大腿骨頭の中心６５と左臼蓋外側縁６６とを通る第二斜め補助線Ｍ５を引く。第一垂直補助線Ｍ２と第一斜め補助線Ｍ３とのなす角度θ１が右ＣＥ角であり、第二垂直補助線Ｍ４と第二斜め補助線Ｍ５とのなす角度θ２が左ＣＥ角である。
【００６８】
画像サーバ装置３０の記憶部３６には、画像ファイル３６１として、左右の股関節部を人体の前面側から撮影した股関節画像のファイルが保存されている。画像処理条件ファイル３６２には、更に、股関節画像から計測された右ＣＥ角及び左ＣＥ角の値が含まれる。
【００６９】
画像計測装置４０の操作部４２は、表示部４３のモニタ画面に表示された股関節画像においてＣＥ角計測用の補助線を描画する位置を指定する際に用いられる。表示部４３は、股関節画像等の医用画像を表示する。
【００７０】
制御部４１は、股関節画像の画像ファイル３６１を取得し、表示部４３のモニタ画面に股関節画像を表示させる。
【００７１】
制御部４１は、操作部４２のマウスからの操作に基づいて、表示部４３のモニタ画面に表示された股関節画像上に、右涙痕下端６１と左涙痕下端６２とを通る基準補助線Ｍ１、右大腿骨頭の中心６３を通り基準補助線Ｍ１に垂直な第一垂直補助線Ｍ２、右大腿骨頭の中心６３と右臼蓋外側縁６４とを通る第一斜め補助線Ｍ３、左大腿骨頭の中心６５を通り基準補助線Ｍ１に垂直な第二垂直補助線Ｍ４、及び、左大腿骨頭の中心６５と左臼蓋外側縁６６とを通る第二斜め補助線Ｍ５を順に描画する。
【００７２】
各補助線を描画する際に、ユーザは操作部４２から基準補助線Ｍ１の始点（１点目）及び終点（２点目）、第一垂直補助線Ｍ２の上端（３点目）、第一斜め補助線Ｍ３の始点（４点目）及び終点（５点目）、第二垂直補助線Ｍ４の上端（６点目）、第二斜め補助線Ｍ５の始点（７点目）及び終点（８点目）を指定する。ここで、第一垂直補助線Ｍ２及び第二垂直補助線Ｍ４の上端とは、モニタ画面上における上端をいう。第一垂直補助線Ｍ２及び第二垂直補助線Ｍ４は、基準補助線Ｍ１に垂直な線であるため、上端の位置を指定すれば、上端位置から基準補助線Ｍ１に垂線を下ろすことにより、第一垂直補助線Ｍ２及び第二垂直補助線Ｍ４を描画することができる。
【００７３】
また、制御部４１は、各補助線を描画する際に、各補助線と対応させて識別符号を表示させる。具体的には、制御部４１は、第一垂直補助線Ｍ２の端部（第一垂直補助線Ｍ２の上端に相当する端部）の近傍に、人体の右側に対応することを示す「Ｒ」という識別符号７１（図１３（ｆ）参照）を表示させる。また、制御部４１は、第一斜め補助線Ｍ３の端部（右大腿骨頭の中心６３より右臼蓋外側縁６４に近い方の端部）の近傍に、人体の右側に対応することを示す「Ｒ」という識別符号７２（図１３（ｆ）参照）を表示させる。また、制御部４１は、第二垂直補助線Ｍ４の端部（第二垂直補助線Ｍ４の上端に相当する端部）の近傍に、人体の左側に対応することを示す「Ｌ」という識別符号７３（図１３（ｆ）参照）を表示させる。また、制御部４１は、第二斜め補助線Ｍ５の端部（左大腿骨頭の中心６５より左臼蓋外側縁６６側に近い方の端部）の近傍に、人体の左側に対応することを示す「Ｌ」という識別符号７４（図１３（ｆ）参照）を表示させる。
【００７４】
制御部４１は、描画された第一垂直補助線Ｍ２と第一斜め補助線Ｍ３とのなす角度を右ＣＥ角として算出し、描画された第二垂直補助線Ｍ４と第二斜め補助線Ｍ５とのなす角度を左ＣＥ角として算出する。
【００７５】
次に、動作を説明する。
図１１は、画像計測装置４０において実行される画像計測処理βを示すフローチャートである。この処理は、制御部４１のＣＰＵと、ＲＯＭ４５に記憶されているプログラムとの協働によるソフトウェア処理によって実現される。
【００７６】
まず、操作部４２からの操作により、計測対象となる股関節画像の画像ファイル３６１が選択され、制御部４１の制御に従って、通信部４４により、画像サーバ装置３０に対して、選択された股関節画像の画像ファイル３６１の取得要求が送信される。そして、制御部４１により、通信部４４を介して、画像サーバ装置３０から股関節画像の画像ファイル３６１が取得される（ステップＳ３１）。そして、制御部４１により、取得された股関節画像の画像ファイル３６１に基づいて、表示部４３のモニタ画面に股関節画像が表示される（ステップＳ３２）。
【００７７】
次に、図１２（ａ）に示すように、基準補助線Ｍ１の始点となる位置にマウスカーソルＭＣが置かれた状態でユーザにより操作部４２のマウスボタンが押下され、基準補助線Ｍ１の始点位置が指定されると、制御部４１により、マウスボタンが押下された位置に対応する画像座標系における座標が取得され、１点目の座標が決定される（ステップＳ３３）。なお、図１２（ａ）には股関節画像を破線で示したが、以下の図では省略する。
【００７８】
次に、図１２（ｂ）に示すように、基準補助線Ｍ１の終点となる位置にマウスカーソルＭＣが置かれた状態でユーザにより操作部４２のマウスボタンが押下され、基準補助線Ｍ１の終点位置が指定されると、制御部４１により、マウスボタンが押下された位置に対応する画像座標系における座標が取得され、２点目の座標が決定される（ステップＳ３４）。
【００７９】
そして、制御部４１により、表示部４３のモニタ画面に表示された股関節画像上に、１点目の座標（画像座標系）と２点目の座標（画像座標系）とを結ぶ基準補助線Ｍ１が描画される（ステップＳ３５）。
【００８０】
次に、図１２（ｃ）に示すように、第一垂直補助線Ｍ２の上端となる位置にマウスカーソルＭＣが置かれた状態でユーザにより操作部４２のマウスボタンが押下され、第一垂直補助線Ｍ２の上端位置が指定されると、制御部４１により、マウスボタンが押下された位置に対応する画像座標系における座標が取得され、３点目の座標が決定される（ステップＳ３６）。
【００８１】
そして、制御部４１により、図１２（ｄ）に示すように、表示部４３のモニタ画面に表示された股関節画像上に、３点目の座標（画像座標系）を一端（上端）とし、基準補助線Ｍ１上の点を他端（下端）とする、基準補助線Ｍ１に垂直な第一垂直補助線Ｍ２が描画されるとともに（ステップＳ３７）、第一垂直補助線Ｍ２の端部（上端）の近傍に「Ｒ」という識別符号７１が表示される（ステップＳ３８）。これにより、第一垂直補助線Ｍ２が人体の右側に対応する垂直補助線であること、すなわち、右大腿骨頭の中心６３を通る垂直補助線であることが識別可能となる。
【００８２】
次に、図１２（ｅ）に示すように、第一斜め補助線Ｍ３の始点となる位置にマウスカーソルＭＣが置かれた状態でユーザにより操作部４２のマウスボタンが押下され、第一斜め補助線Ｍ３の始点位置が指定されると、制御部４１により、マウスボタンが押下された位置に対応する画像座標系における座標が取得され、４点目の座標が決定される（ステップＳ３９）。
【００８３】
次に、図１２（ｆ）に示すように、第一斜め補助線Ｍ３の終点となる位置にマウスカーソルＭＣが置かれた状態でユーザにより操作部４２のマウスボタンが押下され、第一斜め補助線Ｍ３の終点位置が指定されると、制御部４１により、マウスボタンが押下された位置に対応する画像座標系における座標が取得され、５点目の座標が決定される（ステップＳ４０）。
【００８４】
そして、図１３（ａ）に示すように、制御部４１により、表示部４３のモニタ画面に表示されている股関節画像上に、４点目の座標（画像座標系）と５点目の座標（画像座標系）とを結ぶ第一斜め補助線Ｍ３が描画されるとともに（ステップＳ４１）、第一斜め補助線Ｍ３の端部（右臼蓋外側縁６４側の端部）の近傍に「Ｒ」という識別符号７２が表示される（ステップＳ４２）。これにより、第一斜め補助線Ｍ３が人体の右側に対応する斜め補助線であること、すなわち、右大腿骨頭の中心６３と右臼蓋外側縁６４とを通る斜め補助線であることが識別可能となる。
【００８５】
次に、図１３（ｂ）に示すように、第二垂直補助線Ｍ４の上端となる位置にマウスカーソルＭＣが置かれた状態でユーザにより操作部４２のマウスボタンが押下され、第二垂直補助線Ｍ４の上端位置が指定されると、制御部４１により、マウスボタンが押下された位置に対応する画像座標系における座標が取得され、６点目の座標が決定される（ステップＳ４３）。
【００８６】
そして、制御部４１により、図１３（ｃ）に示すように、表示部４３のモニタ画面に表示された股関節画像上に、６点目の座標（画像座標系）を一端（上端）とし、基準補助線Ｍ１上の点を他端（下端）とする、基準補助線Ｍ１に垂直な第二垂直補助線Ｍ４が描画されるとともに（ステップＳ４４）、第二垂直補助線Ｍ４の端部（上端）の近傍に「Ｌ」という識別符号７３が表示される（ステップＳ４５）。これにより、第二垂直補助線Ｍ４が人体の左側に対応する垂直補助線であること、すなわち、左大腿骨頭の中心６５を通る垂直補助線であることが識別可能となる。
【００８７】
次に、図１３（ｄ）に示すように、第二斜め補助線Ｍ５の始点となる位置にマウスカーソルＭＣが置かれた状態でユーザにより操作部４２のマウスボタンが押下され、第二斜め補助線Ｍ５の始点位置が指定されると、制御部４１により、マウスボタンが押下された位置に対応する画像座標系における座標が取得され、７点目の座標が決定される（ステップＳ４６）。
【００８８】
次に、図１３（ｅ）に示すように、第二斜め補助線Ｍ５の終点となる位置にマウスカーソルＭＣが置かれた状態でユーザにより操作部４２のマウスボタンが押下され、第二斜め補助線Ｍ５の終点位置が指定されると、制御部４１により、マウスボタンが押下された位置に対応する画像座標系における座標が取得され、８点目の座標が決定される（ステップＳ４７）。
【００８９】
そして、図１３（ｆ）に示すように、制御部４１により、表示部４３のモニタ画面に表示されている股関節画像上に、７点目の座標（画像座標系）と８点目の座標（画像座標系）とを結ぶ第二斜め補助線Ｍ５が描画されるとともに（ステップＳ４８）、第二斜め補助線Ｍ５の端部（左臼蓋外側縁６６側の端部）の近傍に「Ｌ」という識別符号７４が表示される（ステップＳ４９）。これにより、第二斜め補助線Ｍ５が人体の左側に対応する斜め補助線であること、すなわち、左大腿骨頭の中心６５と左臼蓋外側縁６６とを通る斜め補助線であることが識別可能となる。
【００９０】
次に、制御部４１により、第一垂直補助線Ｍ２と第一斜め補助線Ｍ３とのなす角度が右ＣＥ角として算出され（ステップＳ５０）、第二垂直補助線Ｍ４と第二斜め補助線Ｍ５とのなす角度が左ＣＥ角として算出される（ステップＳ５１）。
【００９１】
次に、制御部４１により、表示部４３のモニタ画面に計測結果（右ＣＥ角及び左ＣＥ角の値）が表示される（ステップＳ５２）。図１３（ｆ）の例では、「右ＣＥ角50.2°  左ＣＥ角47.3°」と表示されている。
【００９２】
次に、制御部４１により、画像処理条件を保存するか否かが判断される（ステップＳ５３）。例えば、操作部４２からの操作により、表示部４３のモニタ画面上で保存ボタンが選択された場合には、画像処理条件が保存される。
【００９３】
画像処理条件を保存する場合には（ステップＳ５３；ＹＥＳ）、制御部４１により、描画された各補助線の両端点を示す座標（画像座標系）、各補助線に対応する識別符号の表示内容（「Ｒ」、「Ｌ」）、各識別符号の表示位置を示す座標（画像座標系）、計測結果（右ＣＥ角及び左ＣＥ角の値）等の画像処理条件が画像サーバ装置３０に送信される（ステップＳ５４）。画像処理条件を保存しない場合には（ステップＳ５３；ＮＯ）、そのまま処理が終了する。
以上で、画像計測処理βが終了する。
【００９４】
以上説明したように、第２の実施の形態によれば、第一垂直補助線Ｍ２と対応させて「Ｒ」という識別符号７１を表示し、第一斜め補助線Ｍ３と対応させて「Ｒ」という識別符号７２を表示し、第二垂直補助線Ｍ４と対応させて「Ｌ」という識別符号７３を表示し、第二斜め補助線Ｍ５と対応させて「Ｌ」という識別符号７４を表示するので、各補助線が何を示すものであるかが識別可能となり、計測における操作性を向上させるとともに、誤診を防止することができる。
【００９５】
また、第一垂直補助線Ｍ２、第一斜め補助線Ｍ３、第二垂直補助線Ｍ４、第二斜め補助線Ｍ５の端部の近傍に識別符号７１〜７４を表示するので、各補助線の描画を妨げることなく、識別符号７１〜７４を表示することができる。
【００９６】
また、股関節画像上に第一垂直補助線Ｍ２、第一斜め補助線Ｍ３、第二垂直補助線Ｍ４、第二斜め補助線Ｍ５及び識別符号７１〜７４が描画された状態で紙やフィルムに出力した場合にも、各補助線が何を示すものであるかが識別可能となる。
【００９７】
なお、上記各実施の形態における記述は、本発明に係る医用画像システムの一例であり、これに限定されるものではない。システムを構成する各装置の細部構成及び細部動作に関しても適宜変更可能である。
【００９８】
例えば、上記各実施の形態では、識別符号としてアルファベットを用いた場合について説明したが、識別符号はアルファベットに限らず、数字、文字、記号、図形等でもよい。
【００９９】
また、上記各実施の形態では、補助線を描画する順序が予め定められており、識別符号を付与すべき補助線が描画される度に識別符号を表示することとしたが、１回の計測に必要な全ての補助線が描画された後にまとめて識別符号を表示することとしてもよい。また、１回の計測に必要な全ての補助線が描画された後に、各補助線の位置関係を解析して、自動的に各補助線が何を示すものであるかを判別し、各補助線に対応する識別符号を付与することとしてもよい。
【０１００】
また、上記各実施の形態では、側面脊椎画像からＣ／Ａ、Ｃ／Ｐ及びＡ／Ｐを算出する場合、股関節画像からＣＥ角を算出する場合について説明したが、計測対象とする医用画像や計測対象値については、あらゆるものに適用可能である。
【０１０１】
［コブ角］
脊椎を人体の正面から撮影した正面脊椎画像からコブ角を算出する場合には、湾曲部の上下端にある終椎の上位終椎の軸方向上端に沿って補助線を描画し、下位終椎の軸方向下端に沿って補助線を描画して、各補助線のなす角度を算出するが、頭尾方向（人体の頭から足に向かう方向）の順に、各補助線と対応させて、「１」、「２」、・・・という識別符号を表示することとしてもよい。
【０１０２】
［骨頭下降率］
上腕骨頭及び関節窩を含む肩画像から骨頭下降率を算出する場合には、関節窩の上端を通る水平な補助線、関節窩の下端を通る水平な補助線、上腕骨頭の下端を通る水平な補助線を描画し、関節窩の上端を通る補助線と関節窩の下端を通る補助線との距離に対する関節窩の下端を通る補助線と上腕骨頭の下端を通る補助線との距離の割合（％）を算出するが、各補助線と対応させて、各部位を示す識別符号を表示することとしてもよい。
【０１０３】
［シャープ角］
左右の股関節部を人体の前面側から撮影した股関節画像からシャープ角を算出する場合には、左右の涙痕下端を通る基準補助線、右涙痕下端と右臼蓋外側縁とを通る右斜め補助線、左涙痕下端と左臼蓋外側縁とを通る左斜め補助線を描画し、基準補助線と右斜め補助線とのなす角度を右シャープ角として算出し、基準補助線と左斜め補助線とのなす角度を左シャープ角として算出するが、各斜め補助線と対応させて、左右を示す識別符号を表示することとしてもよい。
【０１０４】
［ＡＨＩ］
左右の股関節部を人体の前面側から撮影した股関節画像からＡＨＩを算出する場合には、左右の涙痕下端を通る基準補助線Ｖ１、右大腿骨頭外側端を通り基準補助線Ｖ１に垂直な垂直補助線Ｖ２、右臼蓋縁外側端を通り基準補助線Ｖ１に垂直な垂直補助線Ｖ３、右大腿骨頭内側端を通り基準補助線Ｖ１に垂直な垂直補助線Ｖ４、左大腿骨頭外側端を通り基準補助線Ｖ１に垂直な垂直補助線Ｖ５、左臼蓋縁外側端を通り基準補助線Ｖ１に垂直な垂直補助線Ｖ６、左大腿骨頭内側端を通り基準補助線Ｖ１に垂直な垂直補助線Ｖ７を描画し、垂直補助線Ｖ２と垂直補助線Ｖ４との距離に対する垂直補助線Ｖ３と垂直補助線Ｖ４との距離の割合（％）を右ＡＨＩとして算出し、垂直補助線Ｖ５と垂直補助線Ｖ７との距離に対する垂直補助線Ｖ６と垂直補助線Ｖ７との距離の割合（％）を左ＡＨＩとして算出するが、各垂直補助線Ｖ２〜Ｖ７と対応させて、各部位を示す識別符号を表示することとしてもよい。
【０１０５】
［横倉法］
足部を側面側から撮影した足立位側面画像において横倉法による計測を行う場合には、内側種子骨の下縁位置と踵骨隆起端位置とを結ぶ基準補助線Ｖ１１を描画し、距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置のそれぞれを一端とし、基準補助線Ｖ１１上の点を他端とする、基準補助線Ｖ１１に垂直な垂直補助線Ｖ１２，Ｖ１３，Ｖ１４，Ｖ１５，Ｖ１６，Ｖ１７を描画し、垂直補助線Ｖ１２〜Ｖ１７の長さ、及び、基準補助線Ｖ１１の長さに対する各垂直補助線Ｖ１２〜Ｖ１７の長さの割合（％）をそれぞれ算出するが、各垂直補助線Ｖ１２〜Ｖ１７と対応させて、各部位を示す識別符号を表示することとしてもよい。
【０１０６】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【０１０７】
【図１】医用画像システムのシステム構成図である。
【図２】画像サーバ装置の機能的構成を示すブロック図である。
【図３】計測対象椎体の椎体前部の軸方向の長さ、椎体後部の軸方向の長さ、椎体中部の軸方向の長さを示す図である。
【図４】画像計測装置の機能的構成を示すブロック図である。
【図５】識別符号の表示方法を説明するための図である。
【図６】画像サーバ装置において実行される画像提供処理を示すフローチャートである。
【図７】画像計測装置において実行される画像計測処理αを示すフローチャートである。
【図８】（ａ）は、椎体前部の軸方向上端を指定する際の画面例である。（ｂ）は、椎体前部の軸方向下端を指定する際の画面例である。（ｃ）は、前部補助線の両端部の近傍に「Ａ」という識別符号が表示された状態の画面例である。（ｄ）は、椎体中部の軸方向上端を指定する際の画面例である。（ｅ）は、椎体中部の軸方向下端を指定する際の画面例である。（ｆ）は、中部補助線の両端部の近傍に「Ｃ」という識別符号が表示された状態の画面例である。
【図９】（ａ）は、椎体後部の軸方向上端を指定する際の画面例である。（ｂ）は、椎体後部の軸方向下端を指定する際の画面例である。（ｃ）は、後部補助線の両端部の近傍に「Ｐ」という識別符号が表示された状態の画面例である。
【図１０】ＣＥ角を説明するための図である。
【図１１】画像計測装置において実行される画像計測処理βを示すフローチャートである。
【図１２】（ａ）は、基準補助線の始点を指定する際の画面例である。（ｂ）は、基準補助線の終点を指定する際の画面例である。（ｃ）は、第一垂直補助線の上端を指定する際の画面例である。（ｄ）は、第一垂直補助線の端部の近傍に「Ｒ」という識別符号が表示された状態の画面例である。（ｅ）は、第一斜め補助線の始点を指定する際の画面例である。（ｆ）は、第一斜め補助線の終点を指定する際の画面例である。
【図１３】（ａ）は、第一斜め補助線の端部の近傍に「Ｒ」という識別符号が表示された状態の画面例である。（ｂ）は、第二垂直補助線の上端を指定する際の画面例である。（ｃ）は、第二垂直補助線の端部の近傍に「Ｌ」という識別符号が表示された状態の画面例である。（ｄ）は、第二斜め補助線の始点を指定する際の画面例である。（ｅ）は、第二斜め補助線の終点を指定する際の画面例である。（ｆ）は、第二斜め補助線の端部の近傍に「Ｌ」という識別符号が表示された状態の画面例である。
【図１４】脊椎を人体の側面から撮影した画像の例である。
【符号の説明】
【０１０８】
１０  ＲＩＳ
２０  モダリティ
３０  画像サーバ装置
３１  制御部
３２  操作部
３３  表示部
３４  通信部
３５  ＲＯＭ
３６  記憶部
３６１  画像ファイル
３６２  画像処理条件ファイル
３６３  ＤＢ
３６４  画像テーブル
３６５  画像処理条件テーブル
３７  バス
４０  画像計測装置
４１  制御部
４２  操作部
４３  表示部
４４  通信部
４５  ＲＯＭ
４６  記憶部
４７  バス
５１，５２，５３，５４，５５，５６  識別符号
７１，７２，７３，７４  識別符号
１００  医用画像システム
Ｎ  ネットワーク
ＭＣ  マウスカーソル
Ｌａ  前部補助線
Ｌｃ  中部補助線
Ｌｐ  後部補助線
Ｍ１  基準補助線
Ｍ２  第一垂直補助線
Ｍ３  第一斜め補助線
Ｍ４  第二垂直補助線
Ｍ５  第二斜め補助線
【図１】
2011115187.tif 000003
【図２】
2011115187.tif 000004
【図３】
2011115187.tif 000005
【図４】
2011115187.tif 000006
【図５】
2011115187.tif 000007
【図６】
2011115187.tif 000008
【図７】
2011115187.tif 000009
【図８】
2011115187.tif 000010
【図９】
2011115187.tif 000011
【図１０】
2011115187.tif 000012
【図１１】
2011115187.tif 000013
【図１２】
2011115187.tif 000014
【図１３】
2011115187.tif 000015
【図１４】
2011115187.tif 000016